【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
多機能ポリマーであって、
ａ．  ポリオレフィン、
ｂ．  ２から約５０個の炭素原子を有する含窒素のエチレン系不飽和の脂肪族又は芳香族モノマー、及び
ｃ．  該ポリオレフィンと反応することの可能な有機金属化合物
のグラフトポリマーを含む多機能ポリマー。
【請求項２】
有機金属化合物が、モリブデン、コバルト、チタン、カルシウム、マグネシウム、マンガン、ビスマス、タングステン及び銅から成る群から選択された金属構成員を含む、請求項１に記載の多機能ポリマー。
【請求項３】
有機金属化合物が、モリブデン、コバルト、チタン、カルシウム、マグネシウム、マンガン、ビスマス、タングステン及び銅から成る群から選択された金属成分を含有する金属カルボン酸塩を含む、請求項１に記載の多機能ポリマー。
【請求項４】
有機金属化合物が、少なくとも１個の鎖状又は分枝状であるＣ6からＣ40のカルボキシレート部分を有する金属カルボン酸塩を含む、請求項３に記載の多機能ポリマー。
【請求項５】
有機金属化合物が、モリブデン化合物を含む、請求項２に記載の多機能ポリマー。
【請求項６】
金属カルボン酸塩が、カルボン酸モリブデンを含む、請求項３に記載の多機能ポリマー。
【請求項７】
カルボン酸モリブデンが、少なくとも１個の鎖状又は分枝状であるＣ6からＣ40のカルボキシレート部分を有する、請求項６に記載の多機能ポリマー。
【請求項８】
モリブデン化合物が、モリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択される、請求項５に記載の多機能ポリマー。
【請求項９】
モリブデン化合物が、モリブデンアセチルアセトネートを含む、請求項５に記載の多機能ポリマー。
【請求項１０】
モリブデン化合物が、モリブデンオクトエートを含む、請求項５に記載の多機能ポリマー。
【請求項１１】
モリブデン化合物が、モリブデンボロネオデカノエートを含む、請求項５に記載の多機能ポリマー。
【請求項１２】
モノマーが、１−ビニルイミダゾール、１−ビニル−２−ピロリジノン、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール、Ｎ−アリルジイソオクチルフェノチアジン、２−メチル−１−ビニルイミダゾール、３−メチル−１−ビニルピラゾール、Ｎ−ビニルプリン、Ｎ−ビニルピペラジン、ビニルピペリジン、ビニルモルホリン及びそれらの組合わせから成る群から選択される、請求項１〜１１のいずれか一項に記載の多機能ポリマー。
【請求項１３】
モノマーが、１−ビニルイミダゾールを含む、請求項１〜１１のいずれか一項に記載の多機能ポリマー。
【請求項１４】
ポリオレフィンが、約２０，０００から約５００，０００の重量平均分子量及び約１から約１５の多分散性を含む、請求項１に記載の多機能ポリマー。
【請求項１５】
モノマー対ポリマーの比率が、約８から約１６モルのモノマー対１モルのポリマーである、請求項１に記載の多機能ポリマー。
【請求項１６】
モリブデン系化合物対ポリマーの比率が、約２から約５モルのモリブデン系化合物対１モルのポリマーである、請求項１に記載の多機能ポリマー。
【請求項１７】
前記多機能グラフト化ポリマーは、そのポリマーのモル当たり約８モルから約１６モルのグラフト化可能なアミン及びそのポリマーのモル当たり約３モルから約５モルの有機金属モノマー（好ましくはモリブデンモノマーである）を含有する、請求項１〜１４のいずれか一項に記載の多機能ポリマー。
【請求項１８】
多機能ポリマーであって、
ａ．  約２０，０００から約５００，０００の重量平均分子量及び約１から約１５の多分散性を有するポリオレフィン、
ｂ．  １−ビニルイミダゾール、１−ビニル−２−ピロリジノン、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール、Ｎ−アリルジイソオクチルフェノチアジン、２−メチル−１−ビニルイミダゾール、３−メチル−１−ビニルピラゾール、Ｎ−ビニルプリン、Ｎ−ビニルピペラジン、ビニルピペリジン、ビニルモルホリン及びそれらの組合わせから成る群から選択されたところの２から約５０個の炭素原子を有する含窒素のエチレン系不飽和の脂肪族又は芳香族モノマー、並びに
ｃ．  モリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択されたところの該ポリオレフィンと反応することの可能な有機金属化合物
のグラフトポリマーを含む請求項１に記載の多機能ポリマー。
【請求項１９】
多機能ポリマーであって、
モリブデンボロネオデカノエート、モリブデンオクトエート、モリブデンアセチルアセトネート及びそれらの組合わせから成る群から選択されたモリブデン化合物、並びに
ポリマー上にグラフトされた２から約５０個の炭素原子を有する含窒素のエチレン系不飽和の脂肪族又は芳香族モノマーのグラフト反応生成物を含むポリオレフィン
のグラフトポリマーを含み、しかも該グラフトポリマーは約２０，０００から約５００，０００の重量平均分子量及び少なくとも約１３：１のグラフト化モノマー対ポリマーのモル割合を有する多機能ポリマー。
【請求項２０】
多機能ポリマーを製造する方法であって、次の工程すなわち
ａ．  ポリオレフィン、開始剤、及び該ポリオレフィンと反応することの可能な２から約５０個の炭素原子を有する含窒素のエチレン系不飽和の脂肪族又は芳香族モノマーを用意し、
ｂ．  該ポリオレフィンを溶媒中に溶解して溶液を形成させ、
ｃ．  この溶液中に該モノマーを分散し、
ｄ．  この溶液に該開始剤を添加し、しかもこの工程を該開始剤の開始温度を超える温度にて行い、それにより分散剤ポリマーを形成させ、
ｅ．  この溶液をこの温度に維持しそして有機金属化合物を添加し、それにより該多機能ポリマーを形成させる
工程を含む方法。
【請求項２１】
溶媒が、炭化水素基油を含む、請求項２０に記載の方法。
【請求項２２】
ポリオレフィンが、約２０，０００から約５００，０００の重量平均分子量及び約１から約１５の間の多分散性を有する、請求項２０に記載の方法。
【請求項２３】
モノマーが、１−ビニルイミダゾール、１−ビニル−２−ピロリジノン、Ｃ−ビニルイミダゾール、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール、Ｎ−アリルジイソオクチルフェノチアジン、２−メチル−１−ビニルイミダゾール、３−メチル−１−ビニルピラゾール、Ｎ−ビニルプリン、Ｎ−ビニルピペラジン、ビニルピペリジン、ビニルモルホリン及びそれらの組合わせから成る群から選択される、請求項２０〜２２のいずれか一項に記載の方法。
【請求項２４】
モノマーが、１−ビニルイミダゾールを含む、請求項２０〜２２のいずれか一項に記載の方法。
【請求項２５】
有機金属化合物が、モリブデン、コバルト、チタン、カルシウム、マグネシウム、マンガン、ビスマス、タングステン及び銅から成る群から選択された金属構成員を含む、請求項２０〜２４のいずれか一項に記載の方法。
【請求項２６】
有機金属化合物が、モリブデン化合物を含む、請求項２０〜２４のいずれか一項に記載の方法。
【請求項２７】
モリブデン化合物が、モリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択される、請求項２６に記載の方法。
【請求項２８】
モリブデン化合物が、モリブデンアセチルアセトネートを含む、請求項２６に記載の方法。
【請求項２９】
モリブデン化合物が、モリブデンオクトエートを含む、請求項２６に記載の方法。
【請求項３０】
モリブデン化合物が、モリブデンボロネオデカノエートを含む、請求項２６に記載の方法。
【請求項３１】
請求項２０に記載の多機能ポリマーを製造する方法であって、次の工程すなわち
ａ．  約２０，０００から約５００，０００の重量平均分子量を有するポリオレフィン、開始剤、並びに１−ビニルイミダゾール、１−ビニル−２−ピロリジノン、Ｎ−アリルイミダゾール、１−ビニルピロリジノン、２−ビニルピリジン、４−ビニルピリジン、Ｎ−メチル−Ｎ−ビニルアセトアミド、ジアリルホルムアミド、Ｎ−メチル−Ｎ−アリルホルムアミド、Ｎ−エチル−Ｎ−アリルホルムアミド、Ｎ−シクロヘキシル−Ｎ−アリルホルムアミド、４−メチル−５−ビニルチアゾール、Ｎ−アリルジイソオクチルフェノチアジン、２−メチル−１−ビニルイミダゾール、３−メチル−１−ビニルピラゾール、Ｎ−ビニルプリン、Ｎ−ビニルピペラジン、ビニルピペリジン、ビニルモルホリン及びそれらの組合わせから成る群から選択されたところの該ポリオレフィンと反応することの可能な２から約５０個の炭素原子を有する含窒素のエチレン系不飽和の脂肪族又は芳香族モノマーを用意し、
ｂ．  該ポリオレフィンを溶媒中に溶解して溶液を形成させ、
ｃ．  この溶液中に該モノマーを分散し、
ｄ．  この溶液に該開始剤を添加し、しかもこの工程を該開始剤の開始温度を超える温度にて行い、それにより分散剤ポリマーを形成させ、
ｅ．  この溶液をこの温度に維持しそしてモリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択された有機金属化合物を添加し、それにより該多機能ポリマーを形成させる
工程を含む方法。
【請求項３２】
モノマーが１−ビニルイミダゾールであり、そして有機金属化合物がモリブデンボロネオデカノエート、モリブデンオクトエート、モリブデンアセチルアセトネート及びそれらの組合わせから成る群から選択される、請求項３１に記載の方法。
【請求項３３】
潤滑油であって、
ａ．  潤滑油基油、
ｂ．  組成物重量に基づいて少なくとも約０．１ｗｔ％の請求項１〜１９のいずれか一項に記載の多機能ポリマー、及び
ｃ．  組成物重量に基づいて０％から約４％の他の分散剤
を含む潤滑油。
【請求項３４】
多機能ポリマーであって、
ａ．  ポリオレフィン、及び
ｂ．  該ポリオレフィンと反応することの可能な有機金属化合物
のグラフトポリマーを含む多機能ポリマー。
【請求項３５】
有機金属化合物が、モリブデン、コバルト、チタン、カルシウム、マグネシウム、マンガン、ビスマス、タングステン及び銅から成る群から選択された金属構成員を含む、請求項３４に記載の多機能ポリマー。
【請求項３６】
有機金属化合物が、モリブデン、コバルト、チタン、カルシウム、マグネシウム、マンガン、ビスマス、タングステン及び銅から成る群から選択された金属成分を含有する金属カルボン酸塩を含む、請求項３４に記載の多機能ポリマー。
【請求項３７】
有機金属化合物が、モリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択されたモリブデン化合物を含む、請求項３５に記載の多機能ポリマー。
【請求項３８】
モリブデン化合物が、モリブデンアセチルアセトネート、モリブデンオクトエート、モリブデンボロネオデカノエート及びそれらの組合わせから成る群から選択される、請求項３７に記載の多機能ポリマー。
【請求項３９】
ポリオレフィンが、約２０，０００から約５００，０００の重量平均分子量及び約１から約１５の多分散性を含む、請求項３４に記載の多機能ポリマー。
【請求項４０】
ポリオレフィンが、約２０，０００から約５００，０００の重量平均分子量及び約１から約１５の多分散性を含む、請求項３８に記載の多機能ポリマー。
【請求項４１】
多機能ポリマーを製造する方法であって、次の工程すなわち
ａ．  ポリオレフィン、開始剤、及び該ポリオレフィンと反応することの可能な有機金属化合物を用意し、
ｂ．  該ポリオレフィンを溶媒中に溶解して溶液を形成させ、
ｃ．  この溶液中に該有機金属化合物を分散し、
ｄ．  この溶液に該開始剤を添加し、しかもこの工程を該開始剤の開始温度を超える温度にて行い、それにより多機能ポリマーを形成させる
工程を含む方法。
【請求項４２】
溶媒が、炭化水素基油を含む、請求項４１に記載の方法。
【請求項４３】
ポリオレフィンが、約２０，０００から約５００，０００の重量平均分子量及び約１から約１５の間の多分散性を有する、請求項４１に記載の方法。
【請求項４４】
有機金属化合物が、モリブデン、コバルト、チタン、カルシウム、マグネシウム、マンガン、ビスマス、タングステン及び銅から成る群から選択された金属構成員を含む、請求項４１に記載の方法。
【請求項４５】
有機金属化合物が、モリブデンボロネオデカノエート、モリブデン２−エチルヘキサノエート４−ノニルオキシベンゾエート、モリブデン（イソステレート）（４−ノニルオキシベンゾエート）、モリブデンドデシルベンゼンスルホネート、モリブデンＣ18分枝状−線状カルボキシレート、モリブデンＣ36線状カルボキシレート、モリブデンＣ36+−Ｃ18分枝状−線状カルボキシレート、モリブデンＣ36分枝状−線状カルボキシレート、モリブデンＣ36／Ｃ36+線状カルボキシレート、モリブデンＣ36+分枝状アルキルカルボキシレート／ｔ−ブチルベンゾエート、モリブデンＣ18分枝状アルキルカルボキシレート／ｔ−ブチルベンゾエート、モリブデンオレエート、モリブデンＣ18線状アルキルカルボキシレート／ｔ−ブチルベンゾエート、モリブデンオクトエート、モリブデンアセチルアセトネート及びそれらの組合わせから成る群から選択されたモリブデン化合物を含む、請求項４４に記載の方法。
【請求項４６】
モリブデン化合物が、モリブデンアセチルアセトネート、モリブデンオクトエート、モリブデンボロネオデカノエート及びそれらの組合わせから成る群から選択される、請求項４５に記載の方法。
【請求項４７】
ポリオレフィンが、約２０，０００から約５００，０００の重量平均分子量及び約１から約１５の間の多分散性を有する、請求項４６に記載の方法。
【請求項４８】
潤滑油であって、
ａ．  潤滑油基油、
ｂ．  組成物重量に基づいて少なくとも約０．１ｗｔ％の請求項３４、３８及び４０のいずれか一項に記載の多機能ポリマー、及び
ｃ．  組成物重量に基づいて０％から約４％の他の分散剤
を含む潤滑油。